【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
外側表面および内側表面を有するハウジングと、
上記ハウジングの中の少なくとも１つの構成要素と、
略４００Ｗ／（ｍ・Ｋ）より大きなｋ値を有する高ｋ値高熱伝導率体とを含み、
上記少なくとも１つの構成要素は、上記ハウジングの中に存在する他の、要素、化学物質、または物質と共同で、電力を発生するよう構成されており、
上記高熱伝導率体は、上記ハウジングの少なくとも１つの上記内側表面または上記少なくとも１つの構成要素と結合していることを特徴とする電気エネルギー蓄積装置または電気化学エネルギー発生装置。
【請求項２】
上記高熱伝導率体は、少なくとも１つの外部の熱源、ヒートシンク、または熱のリザーバに接触する構造に形作られていることを特徴とする請求項１に記載の電気エネルギー蓄積装置または電気化学エネルギー発生装置。
【請求項３】
上記高熱伝導率体は、上記ハウジングの壁の一部に結合していることを特徴とする請求項１に記載の電気エネルギー蓄積装置または電気化学エネルギー発生装置。
【請求項４】
上記高熱伝導率体は、上記少なくとも１つの構成要素に結合していることを特徴とする請求項１に記載の電気エネルギー蓄積装置または電気化学エネルギー発生装置。
【請求項５】
上記高熱伝導率体は、上記ハウジングの壁の一部と一体化していることを特徴とする請求項１に記載の電気エネルギー蓄積装置または電気化学エネルギー発生装置。
【請求項６】
上記高熱伝導率体は、上記少なくとも１つの構成要素と一体化していることを特徴とする請求項１に記載の電気エネルギー蓄積装置または電気化学エネルギー発生装置。
【請求項７】
上記高熱伝導率体は、上記少なくとも１つの構成要素の一部と結合しており、上記少なくとも１つの構成要素は、カソードを含むことを特徴とする請求項１に記載の電気エネルギー蓄積装置または電気化学エネルギー発生装置。
【請求項８】
上記高熱伝導率体は、上記少なくとも１つの構成要素の一部と結合しており、上記少なくとも１つの構成要素は、アノードを含むことを特徴とする請求項１に記載の電気エネルギー蓄積装置または電気化学エネルギー発生装置。
【請求項９】
上記高熱伝導率体は、上記少なくとも１つの構成要素の一部と一体化しており、上記少なくとも１つの構成要素は、カソードを含むことを特徴とする請求項１に記載の電気エネルギー蓄積装置または電気化学エネルギー発生装置。
【請求項１０】
上記高熱伝導率体は、上記少なくとも１つの構成要素の一部と一体化しており、上記少なくとも１つの構成要素は、アノードを含むことを特徴とする請求項１に記載の電気エネルギー蓄積装置または電気化学エネルギー発生装置。
【請求項１１】
上記高熱伝導率体は、上記少なくとも１つの構成要素と一体化していることを特徴とする請求項１に記載の電気エネルギー蓄積装置または電気化学エネルギー発生装置。
【請求項１２】
上記高熱伝導率体は、上記少なくとも１つの構成要素の一部を含む上記物質と結合しており、上記少なくとも１つの構成要素は、物質および触媒を含むことを特徴とする請求項１に記載の電気エネルギー蓄積装置または電気化学エネルギー発生装置。
【請求項１３】
上記高熱伝導率体は、上記少なくとも１つの構成要素の一部を含む上記物質と結合しており、上記少なくとも１つの構成要素は、固体電解質を含むことを特徴とする請求項１に記載の電気エネルギー蓄積装置または電気化学エネルギー発生装置。
【請求項１４】
上記高熱伝導率体は、上記少なくとも１つの構成要素の一部を含む上記物質と一体化しており、上記少なくとも１つの構成要素は、物質および触媒を含むことを特徴とする請求項１に記載の電気エネルギー蓄積装置または電気化学エネルギー発生装置。
【請求項１５】
上記高熱伝導率体は、上記少なくとも１つの構成要素の一部を含む上記物質と一体化しており、上記少なくとも１つの構成要素は、固体電解質を含むことを特徴とする請求項１に記載の電気エネルギー蓄積装置または電気化学エネルギー発生装置。
【請求項１６】
上記高熱伝導率体は、上記少なくとも１つの構成要素の一部と結合しており、上記少なくとも１つの構成要素は、電気接点を含むことを特徴とする請求項１に記載の電気エネルギー蓄積装置または電気化学エネルギー発生装置。
【請求項１７】
上記高熱伝導率体は、上記少なくとも１つの構成要素の一部と一体化しており、上記少なくとも１つの構成要素は、電気接点を含むことを特徴とする請求項１に記載の電気エネルギー蓄積装置または電気化学エネルギー発生装置。
【請求項１８】
上記高熱伝導率体は、上記少なくとも１つの構成要素の一部と結合しており、上記少なくとも１つの構成要素は、導電体を含むことを特徴とする請求項１に記載の電気エネルギー蓄積装置または電気化学エネルギー発生装置。
【請求項１９】
上記高熱伝導率体は、上記少なくとも１つの構成要素の一部と一体化しており、上記少なくとも１つの構成要素は、導電体を含むことを特徴とする請求項１に記載の電気エネルギー蓄積装置または電気化学エネルギー発生装置。
【請求項２０】
上記高熱伝導率体は、上記少なくとも１つの構成要素の一部と結合しており、上記少なくとも１つの構成要素は、誘電体を含むことを特徴とする請求項１に記載の電気エネルギー蓄積装置または電気化学エネルギー発生装置。
【請求項２１】
上記高熱伝導率体は、上記少なくとも１つの構成要素の一部と結合しており、上記少なくとも１つの構成要素は、セパレーターを含むことを特徴とする請求項１に記載の電気エネルギー蓄積装置または電気化学エネルギー発生装置。
【請求項２２】
上記高熱伝導率体は、上記少なくとも１つの構成要素の一部と一体化しており、上記少なくとも１つの構成要素は、誘電体を含むことを特徴とする請求項１に記載の電気エネルギー蓄積装置または電気化学エネルギー発生装置。
【請求項２３】
上記高熱伝導率体は、上記少なくとも１つの構成要素の一部と一体化しており、上記少なくとも１つの構成要素は、セパレーターを含むことを特徴とする請求項１に記載の電気エネルギー蓄積装置または電気化学エネルギー発生装置。
【請求項２４】
上記少なくとも１つの構成要素は、熱制御構成要素を含み、上記熱制御構成要素は、上記ハウジングの中に配置されていることを特徴とする請求項１に記載の電気エネルギー蓄積装置または電気化学エネルギー発生装置。
【請求項２５】
上記高熱伝導率体は、ダイアモンドを含むことを特徴とする請求項１に記載の電気エネルギー蓄積装置または電気化学エネルギー発生装置。
【請求項２６】
上記高熱伝導率体は、ダイアモンドフィルムを含むことを特徴とする請求項１に記載の電気エネルギー蓄積装置または電気化学エネルギー発生装置。
【請求項２７】
上記高熱伝導率体は、カーボンファイバーを含むことを特徴とする請求項１に記載の電気エネルギー蓄積装置または電気化学エネルギー発生装置。
【請求項２８】
上記高熱伝導率体は、カーボンナノチューブを含むことを特徴とする請求項１に記載の電気エネルギー蓄積装置または電気化学エネルギー発生装置。
【請求項２９】
高熱伝導率体でできた複数の熱制御構造体に結合されている、制御可能な流れを伴う流体流動システムと、
電気エネルギー蓄積装置または電気化学エネルギー発生装置に結合されている電気的特性センサーと、
制御アルゴリズムが組み込まれており、制御可能な流れを伴う制御システムの機能を上記電気エネルギー蓄積装置または上記電気化学エネルギー発生装置の少なくとも１つの状態の関数として制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、上記電気エネルギー蓄積装置または上記電気化学エネルギー発生装置の少なくとも一部に隣接して配置されており、
上記熱制御構造体は、上記電気エネルギー蓄積装置または上記電気化学エネルギー発生装置の上記一部から熱を移送するように構成されている、
ことを特徴とする電気エネルギー蓄積装置または電気化学エネルギー発生装置の温度変更システム。
【請求項３０】
高熱伝導率体でできた複数の熱制御構造体に結合されている、制御可能な流れを伴う流体制御システムと、
電気エネルギー蓄積装置に結合されている電気的特性センサーと、
制御アルゴリズムが組み込まれており、制御可能な流れを伴う上記制御システムの機能を上記電気エネルギー蓄積装置に供給された電流の関数として制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、上記電気エネルギー蓄積装置の少なくとも一部に隣接して配置されており、
上記熱制御構造体は、上記電気エネルギー蓄積装置の上記一部から熱を移送するように構成されている、
ことを特徴とする電気エネルギー蓄積装置の温度変更システム。
【請求項３１】
高熱伝導率体でできた複数の熱制御構造体に結合されている制御可能な流体流動装置と、
電気エネルギー蓄積装置または電気化学エネルギー発生装置に結合されている電気的特性センサーと、
携帯型装置のプロセッサと、
制御アルゴリズムが組み込まれており、上記制御可能な流体流動装置の機能を携帯型装置の状態の関数として制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、上記電気エネルギー蓄積装置または上記電気化学エネルギー発生装置の少なくとも一部に隣接して配置されており、
上記熱制御構造体は、上記電気エネルギー蓄積装置または上記電気化学エネルギー発生装置の上記一部から熱を移送するように構成されており、
上記プロセッサは、少なくとも１つの携帯型装置の状態を決定するように構成されており、
上記携帯型装置は、上記電気エネルギー蓄積装置または上記電気化学エネルギー発生装置からの電流を使用する、
ことを特徴とする電気エネルギー蓄積装置または電気化学エネルギー発生装置の温度変更システム。
【請求項３２】
高熱伝導率体でできた複数の熱制御構造体に結合されている制御可能な流体流動装置と、
電気エネルギー蓄積装置または電気化学エネルギー発生装置に結合されている電気的特性センサーと、
携帯型装置のプロセッサと、
制御アルゴリズムが組み込まれており、上記携帯型装置の状態の機能を制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、電気エネルギー蓄積装置または電気化学エネルギー発生装置の少なくとも一部に隣接して配置されており、
上記熱制御構造体は、上記電気エネルギー蓄積装置または上記電気化学エネルギー発生装置の上記一部から熱を移送するように構成されており、
上記プロセッサは、少なくとも１つの上記携帯型装置の状態を決定するように構成されており、
上記携帯型装置は、上記電気エネルギー蓄積装置または上記電気化学エネルギー発生装置からの電流を使用する、
ことを特徴とする電気エネルギー蓄積装置または電気化学エネルギー発生装置の温度変更システム。
【請求項３３】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、上記制御可能な流体流動装置の機能を上記少なくとも１つの車両の状態の関数として制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、電気エネルギー蓄積装置または電気化学エネルギー発生装置の少なくとも一部に隣接して配置されており、
上記熱制御構造体は、上記電気エネルギー蓄積装置または上記電気化学エネルギー発生装置の上記一部から熱を移送するように構成されており、
上記車両は、上記電気エネルギー蓄積装置または上記電気化学エネルギー発生装置を使用する、
ことを特徴とする電気エネルギー蓄積装置または電気化学エネルギー発生装置の温度変更システム。
【請求項３４】
高熱伝導率体でできた複数の熱制御構造体に結合されている制御可能な流体流動装置と、
少なくとも１つの車両の状態を決定するように構成されているプロセッサと、
上記プロセッサに結合されており、少なくとも１つの車両の特性を検出するように構成されている車両センサーと、
制御アルゴリズムが組み込まれており、車両の状態に基づいて車両の機能を制御するように構成されている制御装置と、
を備えており、
上記高熱伝導率体は、高ｋ値を有しており、
上記高ｋ値は、略４１０Ｗ／（ｍ・Ｋ）よりも大きく、
上記熱制御構造体は、電気エネルギー蓄積装置または電気化学エネルギー発生装置の少なくとも一部に隣接して配置されており、
上記熱制御構造体は、上記電気エネルギー蓄積装置または上記電気化学エネルギー発生装置の上記一部から熱を移送するように構成されており、
上記車両は、電源を使用する、
ことを特徴とする電気エネルギー蓄積装置または電気化学エネルギー発生装置の温度変更システム。
【請求項３５】
外側表面および内側表面を有するハウジングと、
上記ハウジングの中の少なくとも１つの構成要素と、
上記ハウジングの少なくとも１つの上記内側表面、または、上記の少なくとも１つの内部構成要素に結合されている複数のマイクロチャネルと、
上記マイクロチャネルに結合されているヒートシンクと、
を備えており、
上記少なくとも１つの構成要素は、上記ハウジングの中に存在する少なくとも１つの他の構成要素、化学物質、または物質と共同で、電気エネルギーを発生するように構成されており、
少なくとも１つのマイクロチャネルは、高熱伝導率体で少なくとも部分的に形成されており、
上記高熱伝導率体は、高ｋ値を有しており、
上記高ｋ値は、略４１０Ｗ／（ｍ・Ｋ）よりも大きく、
上記ヒートシンクは、上記マイクロチャネルを通過して流れる流体を介して、上記マイクロチャネルの表面に熱エネルギーを移送するように、または、当該表面から熱エネルギーを移送するように構成されている、
ことを特徴とする電気的電気化学エネルギー発生装置または電気化学エネルギー発生装置。
【手続補正２】
【補正対象書類名】明細書
【補正対象項目名】発明の名称
【補正方法】変更
【補正の内容】
【発明の名称】高熱伝導率体を使用する電気エネルギー蓄積装置または電気化学エネルギー発生装置の温度を変更するシステム